(57)【要約】【課題】  消費電力の削減を図りつつ、放送受信用の機能を持たせることが可能な携帯通信端末を提供する。【解決手段】  ＣＰＵ２８は、放送受信用アンテナ１１を介して放送用電波を受信する受信時刻を設定し、放送用電波の受信時刻になるまでは、電源回路３４から受信回路１２に供給される電力をオフするとともに、放送用電波の受信時刻に同期して、電源回路３４から受信回路１２に供給される電力をオンすることにより、特定の放送が行われる時にのみ受信回路１２を作動させ、特定の放送が行われていない時には受信回路１の動作を停止させる。【選択図】      図１
2006135839.tif 000002
【特許請求の範囲】
【請求項１】
無線通信用電波を送受信する無線通信用アンテナと、
放送用電波を受信する放送受信用アンテナと、
前記無線通信用電波に乗せて送られたデータの受信処理を行う通信用受信処理手段と、
前記放送用電波に乗せて送られたデータの受信処理を行う放送用受信処理手段と、
前記放送用電波を受信する時刻を設定する受信時刻設定手段と、
前記放送用受信処理手段および前記通信用受信処理手段に電力を供給する電源回路と、
前記受信時刻設定手段にて設定された時刻に同期して前記放送用受信処理手段に供給される電力の制御を行う電力制御手段とを備えることを特徴とする携帯通信端末。
【請求項２】
前記放送用電波の受信時刻の同期は、前記無線通信用電波を送出する基地局に同期した受信側の時刻を基準とすることを特徴とする請求項１記載の携帯通信端末。
【請求項３】
無線通信用電波を送受信する無線通信用アンテナと、
放送用電波を受信する放送受信用アンテナと、
前記無線通信用電波に乗せて送られたデータの受信処理を行う通信用受信処理手段と、
前記放送用電波に乗せて間欠的に送られたデータの受信処理を行う放送用受信処理手段と、
前記放送用電波に乗せて間欠的に送られたデータを記憶する記憶手段と、
前記記憶手段に記憶されたデータを指定された時間に連続して再生させる再生手段とを備えることを特徴とする携帯通信端末。
【請求項４】
前記放送用受信処理手段は、前記放送用電波の送信開始からの時間を基準として、複数のパケットを一定の時間間隔で受信することを特徴とする請求項３記載の携帯通信端末。
【請求項５】
前記放送用受信処理手段が間欠動作している時点で放送用電波が受信できなくなった場合、前記放送用電波が受信できない時間帯において前記放送用受信処理手段の動作を停止させることを特徴とする請求項４記載の携帯通信端末。
【請求項６】
予め決められた全てのデータが受信できた時点で前記放送用受信処理手段の動作を停止させることを特徴とする請求項３から５のいずれか１項記載の携帯通信端末。
【請求項７】
無線通信用電波を送受信する無線通信用アンテナと、
放送用電波を受信する放送受信用アンテナと、
前記無線通信用電波に乗せて送られたデータの受信処理を行う通信用受信処理手段と、
前記放送用電波に乗せて送られたデータの受信処理を行う放送用受信処理手段と、
前記通信用受信処理手段にて受信されたデータの更新状況を判別する更新状況判別手段と、
前記更新状況判別手段にて判別された更新状況に基づいて前記放送用受信処理手段の作動制御を行う作動制御手段とを備えることを特徴とする携帯通信端末。
【請求項８】
前記作動制御手段は、前記放送用電波に乗せて送られたデータのヘッダ情報に基づいて前記データの更新状況を判断し、前記データが更新されていない場合には前記放送用受信処理手段の動作を停止させることを特徴とする請求項７記載の携帯通信端末。
【請求項９】
無線通信用電波を送受信する無線通信用アンテナと、
放送用電波を受信する放送受信用アンテナと、
前記無線通信用電波に乗せて送られたデータの受信処理を行う通信用受信処理手段と、
前記放送用電波に乗せて送られたデータの受信処理を行う放送用受信処理手段と、
前記放送用電波の受信状況に基づいて前記無線通信用電波の受信制御を行う受信制御手段とを備えることを特徴とする携帯通信端末。
【請求項１０】
前記放送用電波から受信できなかったデータを前記無線通信用電波から受信することを特徴とする請求項９記載の携帯通信端末。
【請求項１１】
無線通信用電波を送受信する無線通信用アンテナと、
放送用電波を受信する放送受信用アンテナと、
前記無線通信用電波に乗せて送られたデータの受信処理を行う通信用受信処理手段と、
前記無線通信用電波に乗せて送られたデータの内容に基づいて、前記放送用電波に乗せて送られたデータの受信処理を行う放送用受信処理手段とを備えることを特徴とする携帯通信端末。
【請求項１２】
前記無線通信用電波に乗せて送られたデータに緊急情報が含まれる場合、前記放送用受信処理手段を自動的に作動させることを特徴とする請求項１１記載の携帯通信端末。
【請求項１３】
前記放送用電波に乗せて送られるデータのカテゴリを選択するカテゴリ選択手段をさらに備えることを特徴とする請求項１から１２のいずれか１項記載の携帯通信端末。
【発明の詳細な説明】
【技術分野】
【０００１】
本発明は携帯通信端末に関し、特に、データ放送を受信できる携帯電話に適用して好適なものである。
【背景技術】
【０００２】
携帯電話装置は普及期を経て現在では付加機能が求められている。付加機能にはテレビジョン受信装置を組み込み、携帯電話装置の表示体を利用して放送を視聴できるような携帯電話装置も発売されている。また、近年国内では地上デジタル放送のサービスが開始された。このサービスでは、携帯電話装置を始めとした移動体に対する放送サービスも含まれ、このサービスに対応する携帯電話装置も発表されている。すなわち、地上デジタル放送の放送帯域を１３個のセグメントに分割し、そのうちの１つのセグメントを移動体向けのサービスに割り当てることにより、携帯電話装置などの移動体における受信を想定した１セグメント放送が用意されている。そして、この帯域の一部を利用してデータ放送と同等のサービスが行われる予定である。
【０００３】
一方、特許文献１には、利用者側が放送やデータのコンテンツを利用する場合、利用者側が携帯電話装置を使用して能動的にコンテンツを受信する方法や、インターネットに見られるように自動的に相手側がクライアント側へ送信を行うプッシュ技術と呼ばれる方法が開示されている。
また、特許文献２には、ニュース記事毎に個別の分類コードを付加して放送するデータ放送を受信する携帯端末において、分類コードを付加した文字情報を放送する放送手段、この放送された文字情報を受信する手段とは異なる通信手段から得られた情報から分類コードを得る手段、受信した文字情報のなかから分類コードと一致した文字情報のみを選別する情報選別手段を設け、別の通信システムから入手した分類コードを用いてニュースの選別を行うことにより、随時所望のニュースを自動的に入手する方法が開示されている。
【０００４】
また、特許文献３には、２系統のアンテナと受信回路とを有するダイバ−シチ受信方式の携帯電話装置において、２つのＩＦ発振回路を有し、携帯電話装置として使用する場合はその内の一方の発振回路よりのＩＦ信号を２つの受信回路に共通に用い、放送波を受信する場合は一方の発振回路よりのＩＦ信号は携帯電話装置として使用する場合と同じ周波数で１つの受信回路に供給し、他方の発振回路よりのＩＦ信号は放送波受信用としてもう一方の受信回路に供給することにより、放送波受信時においても携帯電話として必要な待ち受け機能を実現する方法が開示されている。
【０００５】
また、特許文献４には、２系統のアンテナと受信回路とを有するダイバ−シチ受信方式の携帯電話装置において、ＦＭチューナと多重データ復調回路と表示器を有し、ＦＭ放送波に多重された文字情報を表示に表示できるよう構成するとともに、放送波受信時においても携帯電話として必要な待ち受け機能を実現する方法が開示されている。
また、非特許文献１には、アナログ放送の電波を受信するためのチューナ回路を携帯電話に設け、アナログ放送受信用の機能を携帯電話に持たせる方法が開示されている。
【特許文献１】特開２００３−３０３１５３号公報
【特許文献２】特開平８−８８５９号公報
【特許文献３】特開平７−１４７６０１号公報
【特許文献４】特開平８−８４１７２号公報
【非特許文献１】日経エレクトロニクス２００３．８．１８  ｐｐ．９１
【発明の開示】
【発明が解決しようとする課題】
【０００６】
しかしながら、放送波を受信するためのチューナ回路は消費電力が大きく、アナログ放送受信用の機能を持つ携帯電話装置による連続受信時間は１時間ほどに制限されるという問題があった。
そこで、本発明の目的は、消費電力の削減を図りつつ、放送受信用の機能を持たせることが可能な携帯通信端末を提供することである。
【課題を解決するための手段】
【０００７】
上述した課題を解決するために、本発明の一態様に係る携帯通信端末によれば、無線通信用電波を送受信する無線通信用アンテナと、放送用電波を受信する放送受信用アンテナと、前記無線通信用電波に乗せて送られたデータの受信処理を行う通信用受信処理手段と、前記放送用電波に乗せて送られたデータの受信処理を行う放送用受信処理手段と、前記放送用電波を受信する時刻を設定する受信時刻設定手段と、前記放送用受信処理手段および前記通信用受信処理手段に電力を供給する電源回路と、前記受信時刻設定手段にて設定された時刻に同期して前記放送用受信処理手段に供給される電力の制御を行う電力制御手段とを備えることを特徴とする。
【０００８】
これにより、特定の放送が行われる時にのみ放送用受信処理手段を作動させることができ、特定の放送が行われていない時には放送用受信処理手段の動作を停止させることができる。このため、携帯通信端末に放送受信用の機能を持たせた場合においても、携帯通信端末の消費電力を削減することが可能となり、携帯通信端末の携帯性を損なうことなく、携帯通信端末の長時間動作を実現することができる。
【０００９】
また、本発明の一態様に係る携帯通信端末によれば、前記放送用電波の受信時刻の同期は、前記無線通信用電波を送出する基地局に同期した受信側の時刻を基準とすることを特徴とする。
これにより、放送局側から送られてくるデータはエンコード操作を行っているため、ある程度の時間に遅れが生じる。そこであらかじめ受信側を指定時刻にあらかじめ受信開始状態にしておけば、遅れて送信された放送波を確実に受信することができる。
【００１０】
また、本発明の一態様に係る携帯通信端末によれば、無線通信用電波を送受信する無線通信用アンテナと、放送用電波を受信する放送受信用アンテナと、前記無線通信用電波に乗せて送られたデータの受信処理を行う通信用受信処理手段と、前記放送用電波に乗せて間欠的に送られたデータの受信処理を行う放送用受信処理手段と、前記放送用電波に乗せて間欠的に送られたデータを記憶する記憶手段と、前記記憶手段に記憶されたデータを指定された時間に連続して再生させる再生手段とを備えることを特徴とする。
【００１１】
これにより、放送用電波に乗せて送られたデータの一部のみしか受信できなかった場合でもその一部だけを視聴することが可能となり、また記憶手段によって保持したデータとその後に受信したデータと補完することも可能となる。さらに、放送用受信処理手段を間欠的に作動させることによって、携帯通信端末に放送受信用の機能を持たせた場合においても、携帯通信端末の消費電力を削減することが可能となる。
【００１２】
また、本発明の一態様に係る携帯通信端末によれば、前記放送用受信処理手段は、前記放送用電波の送信開始からの時間を基準として、複数のパケットを一定の時間間隔で受信することを特徴とする。
これにより、放送用電波に乗せて送られたデータを確実にデコードすることができる。また、複数のパケットを受信することで、携帯通信端末の受信環境が変化する場合においても、データの受信の失敗を減らすことができる。
【００１３】
また、本発明の一態様に係る携帯通信端末によれば、前記放送用受信処理手段が間欠動作している時点で放送用電波が受信できなくなった場合、前記放送用電波が受信できない時間帯において前記放送用受信処理手段の動作を停止させることを特徴とする。
これにより、放送の受信が可能な時にのみ放送用受信処理手段を作動させることができ、放送の受信が不可能な時には放送用受信処理手段の動作を停止させることができる。このため、携帯通信端末に放送受信用の機能を持たせた場合においても、放送受信用の機能を損なうことなく、携帯通信端末の消費電力を削減することが可能となる。
【００１４】
また、本発明の一態様に係る携帯通信端末によれば、予め決められた全てのデータが受信できた時点で前記放送用受信処理手段の動作を停止させることを特徴とする。
これにより、必要なデータを受信する時にのみ放送用受信処理手段を作動させることができ、不要なデータが送られてきた時には放送用受信処理手段の動作を停止させることができる。このため、携帯通信端末に放送受信用の機能を持たせた場合においても、放送受信用の機能を損なうことなく、携帯通信端末の消費電力を削減することが可能となる。
【００１５】
また、本発明の一態様に係る携帯通信端末によれば、無線通信用電波を送受信する無線通信用アンテナと、放送用電波を受信する放送受信用アンテナと、前記無線通信用電波に乗せて送られたデータの受信処理を行う通信用受信処理手段と、前記放送用電波に乗せて送られたデータの受信処理を行う放送用受信処理手段と、前記通信用受信処理手段にて受信されたデータの更新状況を判別する更新状況判別手段と、前記更新状況判別手段にて判別された更新状況に基づいて前記放送用受信処理手段の作動制御を行う作動制御手段とを備えることを特徴とする。
【００１６】
これにより、まだ受信していないデータを受信する時にのみ放送用受信処理手段を作動させることができ、すでに受信したデータが送られてきた時には放送用受信処理手段の動作を停止させることができる。このため、携帯通信端末に放送受信用の機能を持たせた場合においても、受信可能な情報量を低減させることなく、携帯通信端末の消費電力を削減することが可能となる。
【００１７】
また、本発明の一態様に係る携帯通信端末によれば、前記作動制御手段は、前記放送用電波に乗せて送られたデータのヘッダ情報に基づいて前記データの更新状況を判断し、前記データが更新されていない場合には前記放送用受信処理手段の動作を停止させることを特徴とする。
これにより、送信されたすべてのデータを受信することなく、データの更新状況を判別することが可能となり、データの更新状況に基づいて放送用受信処理手段の動作を停止させることが可能となる。
【００１８】
また、本発明の一態様に係る携帯通信端末によれば、無線通信用電波を送受信する無線通信用アンテナと、放送用電波を受信する放送受信用アンテナと、前記無線通信用電波に乗せて送られたデータの受信処理を行う通信用受信処理手段と、前記放送用電波に乗せて送られたデータの受信処理を行う放送用受信処理手段と、前記放送用電波の受信状況に基づいて前記無線通信用電波の受信制御を行う受信制御手段とを備えることを特徴とする。
【００１９】
これにより、放送の受信に失敗した場合においても、放送で送られてくるデータを無線通信にて受信することができる。このため、必要なすべてのデータを無線通信にて受信する必要がなくなり、無線通信にかかる負荷を低減することが可能となるとともに、通信費用を削減することができる。
また、本発明の一態様に係る携帯通信端末によれば、前記放送用電波から受信できなかったデータを前記無線通信用電波から受信することを特徴とする。
【００２０】
これにより、無線通信にて取得可能なデータのみを無線通信にて取得することができ、無線通信にかかる負荷を低減することが可能となるとともに、通信費用を削減することができる。
また、本発明の一態様に係る携帯通信端末によれば、無線通信用電波を送受信する無線通信用アンテナと、放送用電波を受信する放送受信用アンテナと、前記無線通信用電波に乗せて送られたデータの受信処理を行う通信用受信処理手段と、前記無線通信用電波に乗せて送られたデータの内容に基づいて、前記放送用電波に乗せて送られたデータの受信処理を行う放送用受信処理手段とを備えることを特徴とする。
【００２１】
これにより、無線通信に基づいて放送用受信処理手段を作動させることが可能となり、放送用受信処理手段を停止させた場合においても、必要に応じて放送用受信処理手段を作動させることができる。このため、携帯通信端末に放送受信用の機能を持たせた場合においても、放送受信用の機能を維持しつつ、携帯通信端末の消費電力を削減することが可能となる。
【００２２】
また、本発明の一態様に係る携帯通信端末によれば、前記無線通信用電波に乗せて送られたデータに緊急情報が含まれる場合、前記放送用受信処理手段を自動的に作動させることを特徴とする。
これにより、放送用受信処理手段を停止させた場合においても、放送用受信処理手段を緊急時に作動させることができ、放送受信用の機能を維持しつつ、携帯通信端末の消費電力を削減することが可能となる。
【００２３】
また、本発明の一態様に係る携帯通信端末によれば、前記放送用電波に乗せて送られるデータのカテゴリを選択するカテゴリ選択手段をさらに備えることを特徴とする。
これにより、放送されたデータのうち、興味のある内容のデータについては過去の分を含めて保持しておくことが可能になるとともに、興味のない内容のデータの受信処理を停止させることができる。このため、携帯通信端末に放送受信用の機能を持たせた場合においても、携帯通信端末の消費電力を削減することが可能となるとともに、情報通信端末の持つメモリを効率よく使用することができる。
【発明を実施するための最良の形態】
【００２４】
以下、本発明の実施形態に係る携帯通信端末について図面を参照しながら説明する。
図１は、本発明の一実施形態に係る携帯通信端末の概略構成を示すブロック図である。
図１において、携帯通信端末には、無線通信用電波を受信する無線通信用アンテナ２０および放送用電波を受信する放送受信用アンテナ１１が設けられるとともに、無線通信用アンテナ２０を介して受信されたデータの受信処理を行う受信部２２、無線通信用アンテナ２０を介して送信されるデータの送信処理を行う送信部２９および放送受信用アンテナ１を介して受信されたデータの受信処理を行う受信回路１２が設けられている。
【００２５】
そして、無線通信用アンテナ２０は、基地局との間で所定の周波数帯の制御信号及び音声信号を含む送信信号及び受信信号を送受信する。そして、無線通信用アンテナ２０にて受信された送信信号は受信部２２に送られるとともに、送信部２９から送られた送信信号は無線通信用アンテナ２０を介して基地局に送信される。ここで、スイッチ２１は、時分割でスイッチングし、無線通信用アンテナ２０を受信部２２と送信部２９とに択一的に接続し、無線通信用アンテナ２０からの受信信号を受信部２２に出力したり、送信部２９から入力される送信信号を無線通信用アンテナ２０を介して送信させたりする。
【００２６】
ＰＬＬシンセサイザ３１は、ＣＰＵ２８により設定される周波数を局発周波数として生成し、受信部２２及び送信部２９に出力する。ここで、受信部２２には、ダウンコンバータ２２ａおよび復調部２２ｂが設けられている。そして、受信部２２は、無線通信用アンテナ２０にて受信されスイッチ２１で振り分けられて入力された受信信号を、ＰＬＬシンセサイザ３１から入力される局部発振信号とダウンコンバータ２２ａを介して混合し、受信信号の周波数帯を一定に下げてから復調部２２ｂへ出力する。
【００２７】
一方、送信部２９には、アップコンバータ２９ａおよび変調部２９ｂが設けられている。そして、送信部２９は、変調部２９ｂから入力される変調波を、アップコンバートにより周波数変換し、パワーアンプ３０およびスイッチ２１を介して無線通信用アンテナ２０から送信させる。
コーデック２３は、デジタル信号の圧縮及び伸長処理を行うものであり、復調部２２ｂから出力された信号をＤ／Ａ変換器２５にてアナログ信号に変換させ、スピーカ２７から音声として出力させる。また、マイク２６にて検出された音声信号はＡ／Ｄ変換器２４へ出力され、デジタル信号に変換された後、コーデック２３を介して変調部２９ｂへと出力される。
【００２８】
一方、放送局から送信された地上デジタル放送波は、放送受信用アンテナ１１を介して受信される。そして、放送受信用アンテナ１１にて受信されたＲＦ（Ｒａｄｉｏ  Ｆｒｅｑｕｅｎｃｙ）信号はバンドパスフィルタ１３に送られ、バンドパスフィルタ１３にて所望の帯域が抽出された後、ＲＦ増幅器１４に送られる。そして、ＲＦ信号がＲＦ増幅器１４に送られると、ＲＦ信号の増幅が行われた後、ダウンコンバータ１５に送られる。そして、ＲＦ信号がダウンコンバータ１５に送られると、ダウンコンバータ１５では、局部発振信号をＲＦ信号に混合することにより、ＲＦ信号がダウンコンバートされる。そして、ダウンコンバータ１５にてダウンコンバートされた受信信号はＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調器１６に送られ、ＯＦＤＭ復調器１６にて復調処理が行われる。
【００２９】
そして、ＯＦＤＭ復調器１６にて復調されたデジタル信号は映像データ復号器１７に送られ、映像データ復号器１７にて映像信号および音声信号に復調される。そして、映像データ復号器１７にて復調された音声信号はスピーカ２７に送られ、スピーカ２７から地上デジタル放送の音声が出力される。また、映像データ復号器１７にて復調された映像信号は液晶表示装置１８に送られ、液晶表示装置１８にて地上デジタル放送の映像が表示される。また、映像データ復号器１７にて復調された映像信号および音声信号はＣＰＵ２８に送られ、映像データ復号器１７にて復調された映像信号および音声信号がＲＡＭ３３に格納される。
【００３０】
ここで、ＣＰＵ２８は、放送受信用アンテナ１１を介して放送用電波を受信する受信開始時刻を設定することができる。そして、ＣＰＵ２８は、放送用電波の受信時刻になるまでは、電源回路３４から受信回路１２に供給される電力をオフするとともに、放送用電波の受信時刻に同期して、電源回路３４から受信回路１２に供給される電力をオンすることができる。
【００３１】
これにより、特定の放送が行われる時にのみ受信回路１２を作動させることができ、特定の放送が行われていない時には受信回路１２の動作を停止させることができる。このため、携帯通信端末に放送受信用の機能を持たせた場合においても、携帯通信端末の消費電力を削減することが可能となり、携帯通信端末の携帯性を損なうことなく、携帯通信端末の長時間動作を実現することができる。
【００３２】
ここで、放送用電波の受信時刻の同期は、無線通信用電波を送出する基地局に同期した携帯通信端末側の時刻を基準とすることが好ましい。なお、携帯通信端末側の時刻を基準とするのは、放送局側から送られてくるデータをエンコードするためにある程度の時間がかかるためである。
また、ＣＰＵ２８は、受信回路１２のオン／オフ制御を行いながら、放送用電波に乗せて間欠的に送られたデータを受信回路１２に受信させることができる。そして、ＣＰＵ２８は、受信回路１２にて間欠的に受信されたデータをＲＡＭ３３に格納し、ＲＡＭ３３に格納されたデータを連続して読み出すことにより、受信データを任意の時刻に液晶表示装置１８に表示させることができる。これにより、放送用電波に乗せて間欠的に送られたデータを違和感なく視聴することが可能となるとともに、受信回路１２を間欠的に作動させることが可能となり、携帯通信端末に放送受信用の機能を持たせた場合においても、携帯通信端末の消費電力を削減することが可能となる。
【００３３】
また、受信回路１２が間欠動作している時点で放送用電波が受信できなくなった場合、放送用電波が受信できない時間帯において受信回路１２の動作を停止させるようにしてもよい。これにより、放送の受信が可能な時にのみ受信回路１２を作動させることができ、放送の受信が不可能な時には受信回路１２の動作を停止させることができる。このため、携帯通信端末に放送受信用の機能を持たせた場合においても、放送受信用の機能を損なうことなく、携帯通信端末の消費電力を削減することが可能となる。
【００３４】
また、ＣＰＵ２８は、放送受信用アンテナ１１を介して受信に失敗したデータが存在する場合、同一内容のデータを無線通信回線を介して受信するようにしてもよい。これにより、放送の受信に失敗した場合においても、放送で送られてくるデータを無線通信にて受信することができる。このため、必要なすべてのデータを無線通信にて受信する必要がなくなり、無線通信にかかる負荷を低減することが可能となるとともに、通信費用を削減することができる。
【００３５】
また、ＣＰＵ２８は、放送用電波に乗せて送られるデータのカテゴリを選択するようにすることができる。これにより、放送されたデータのうち、興味のある内容のデータについては過去の分を含めて保持しておくことが可能になるとともに、興味のない内容のデータの受信処理を停止させることができる。このため、携帯通信端末に放送受信用の機能を持たせた場合においても、携帯通信端末の消費電力を削減することが可能となるとともに、携帯通信端末のメモリを効率よく使用することができる。
【００３６】
なお、上述した処理をＣＰＵ２８に行わせるためのプログラムやデータはＥＥＰＲＯＭもしくはフラッシュメモリ３２に記憶することができ、ＥＥＰＲＯＭもしくはフラッシュメモリ３２に記憶されたプログラムを実行することにより、ＣＰＵ２８は上述した処理を実現することができる。また、携帯通信端末としては、例えば、携帯電話の他、ＰＤＡ（Ｐｅｒｓｏｎａｌ  Ｄｉｇｉｔａｌ  Ａｓｓｉｓｔａｎｃｅ）、ノート型パーソナルコンピュータ、ＩＣカードなどに適用することもできる。
【００３７】
また、地上デジタル放送では、１３個のセグメントのうち１つは移動体向けに音声やデータや簡易動画を伝送するために使われる。ここで、地上デジタル放送の１セグメントは、おおよそ３００〜６００ｋｂｉｔｓ／ｓｅｃ程度の伝送容量を持つ。このため、３２キロバイト（全角文字数にして１６０００字）程度の文字情報の場合には、１秒から２秒程度の時間で伝送することができる。
【００３８】
図２は、本発明の一実施形態に係る地上デジタル放送のセグメント構成を示す図である。
図２において、地上デジタル放送の伝送帯域は全体で約５．６ＭＨｚである。この地上デジタル放送では、この伝送帯域がセグメントと呼ばれる４３０ｋＨｚ幅の１３個のセグメントに分けられる。そして、この１３個のセグメントのうち１２個のセグメントを使うことでハイビジョン番組を放送したり、４個のセグメントを使うことで標準テレビ番組を１つの帯域内で同時に３番組分を放送したりことが可能である。
【００３９】
図３は、本発明の一実施形態に係る受信回路１２の動作時間を示す図である。
図３（ａ）において、放送局から提供されるサービスを受ける時間帯を携帯通信端末側で予め決定する。例えば、放送局から提供されるサービスが６０分を周期として放送され、放送局から放送されるサービスを受ける時間帯として、そのサービスが開始された時刻から一定の時間（例えば、３分）に設定することができる。そして、携帯通信端末の内部時計が設定された時刻になった場合、ＣＰＵ２８は、その放送を受信することが可能なチューナ部分を含む受信回路１２を作動させる。そして、受信回路１２を作動させた後、予め決められた一定時間だけ経過すると、ＣＰＵ２８は受信回路１２の動作を停止させる。
【００４０】
すなわち、放送局から提供されるサービスが一定の時間間隔（例えば、６０分）を周期として行われている場合、ＣＰＵ２８は、最初の０分から３分まで受信回路１２を動作させながら放送を受信するとともに、残りの５７分は受信回路１２を停止させることができる。なお、受信回路１２の作動と停止の繰り返しの時間は携帯通信端末側で自由に設定できる。例えば、朝７時から夜１９時までの間、受信回路１２の作動と停止を繰り返すことにより、放送局から放送されるサービスを間欠的に受信させることができる。また、受信周波数（チャンネル）も携帯通信端末側で自由に設定できるようにしてもよい。
【００４１】
また、図３（ｂ）において、放送局からの放送を受信できるように設定された時間帯以外の時刻に無線通信用アンテナ２０を介してデータを受信することができる。そして、無線通信用アンテナ２０を介して受信されたデータに緊急情報が含まれる場合、ＣＰＵ２８は、受信回路１２を作動させ放送を受信できるようにしてもよい。これにより、受信回路１２を停止させた場合においても、受信回路１２を緊急時に作動させることができ、放送受信用の機能を維持しつつ、携帯通信端末の消費電力を削減することが可能となる。
【００４２】
図４は、本発明の一実施形態に係るデータパケットの送信手順を示す図である。
図４において、放送局からの放送を受信できるように設定された受信時間帯には、一度に送られるデータの組が繰り返し配列されているものとする。なお、一度に送られるデータの組の数は予め決められた受信時間帯内に送信できる回数を示している。ここで、一度に送られるデータの組は、ヘッダパケットＨおよびｎ個のパケットＰ１〜Ｐｎで構成することができる。そして、ヘッダパケットＨには、情報が送られる日付時刻情報およびチェックサムを付加することができる。また、各データパケットＰ１〜Ｐｎには、チェックサムおよびデータを付加することができる。また、個々のデータパケットＰ１〜Ｐｎ間の送信間隔は任意の長さに設定することができる。
【００４３】
そして、基地局から送られた時刻情報に同期した携帯通信端末の内部時計が予め決められた時間になると、ＣＰＵ２８は受信回路１２を動作させる。また、同時刻になると、放送局側も一定の間隔（携帯通信端末の受信回路１２が起動されるまでの十分な時間）を取った後、データの更新情報を含むヘッダパケットＨを最初に送信する。
そして、携帯通信端末は最初にヘッダパケットＨの受信を試みる。そして、ヘッダパケットＨの受信を試みた結果、放送波が検出されなかった場合には、ＣＰＵ２８は受信回路１２の電源を遮断する。一方、放送波の受信に成功した場合には、ＲＡＭ３３に記憶されているデータとヘッダパケットＨの内容の時刻情報を比較し、データパケットＰ１〜Ｐｎの更新がある場合や、ＲＡＭ３３に記憶されているデータの一部または全部が欠落していた場合には、受信回路１２は続くデータパケットＰ１〜Ｐｎの受信を試みる。なお、ヘッダパケットＨの受信に成功しなかった場合には、後続のデータパケットＰ１〜Ｐｎを受信していく。
【００４４】
これにより、データパケットＰ１〜Ｐｎの更新状況や欠落状況を判別しながら受信回路１２の動作を停止させることが可能となり、放送受信用の機能を損なうことなく、携帯通信端末の消費電力を削減することが可能となる。
また、時刻ｔにおいて全データパケットＰ１〜ＰｎおよびヘッダパケットＨを受信できた場合には、予め決められた受信時間帯であっても、ＣＰＵ２８は即座に受信回路１２の電源を遮断する。一方、全データパケットＰ１〜ＰｎおよびヘッダパケットＨを受信できない場合には、予め決められた受信時間帯が経過するまで、データパケットＰ１〜ＰｎおよびヘッダパケットＨの受信を試みる。これにより、予め決められた全てのデータが受信できた時点で受信回路１２の動作を停止させることができ、本発明による放放送受信用の機能を損なうことなく、携帯通信端末の消費電力を削減することが可能となる。
【００４５】
図５は、本発明の一実施形態に係る携帯通信端末の動作を示すフローチャートである。
図５において、ＣＰＵ２８は、電話回線を介して送られた緊急警報を受信したかどうかを判断する（ステップＳ１）。そして、緊急警報を受信した場合、ＣＰＵ２８は受信回路１２の電源を入れる（ステップＳ３）。一方、緊急警報を受信しない場合、ＣＰＵ２８は、予め決められた時刻かどうかを判断する（ステップＳ２）。そして、予め決められた時刻である場合、ＣＰＵ２８は受信回路１２の電源を入れる（ステップＳ３）。
【００４６】
そして、受信回路１２の電源が入ると、設定された受信周波数にて放送波を受信できるかどうかを判断する（ステップＳ４）。そして、設定された受信周波数にて放送波を受信できる場合、放送局から放送が開始されると（ステップＳ５）、受信回路１２は放送局から放送されたパケットを受信する（ステップＳ６）。
そして、放送局から放送されたパケットが受信回路１２にて受信されると、ＣＰＵ２８はヘッダ情報が受信されたかどうかを判断する（ステップＳ７）。そして、ヘッダ情報が受信された場合、ＣＰＵ２８は、そのヘッダ情報からデータが更新されたかどうかを判断する（ステップＳ８）。そして、今回受信したデータが更新されていない場合、ＣＰＵ２８は、受信回路１２の電源を遮断する（ステップＳ１１）。一方、今回受信したデータが更新されている場合、ＣＰＵ２８は、全パケットが受信されたかどうかを判断する（ステップＳ９）。そして、全パケットが受信された場合、ＣＰＵ２８は、受信回路１２の電源を遮断する（ステップＳ１１）。
【００４７】
一方、全パケットが受信されていない場合、予め決められた受信終了時刻に達するまで、パケットの受信を継続する（ステップＳ６、Ｓ１０）。そして、予め決められた受信終了時刻に達すると、ＣＰＵ２８は受信回路１２の電源を遮断する（ステップＳ１１）。
【図面の簡単な説明】
【００４８】
【図１】本発明の一実施形態に係る携帯通信端末の概略構成を示すブロック図。
【図２】本発明の一実施形態に係る地上デジタル放送のセグメント構成を示す図。
【図３】本発明の一実施形態に係る受信回路の動作時間を示す図。
【図４】本発明の一実施形態に係るデータパケットの送信手順を示す図。
【図５】本発明の一実施形態に係る携帯通信端末の動作を示すフローチャート。
【符号の説明】
【００４９】
１１  放送受信用アンテナ、１２  受信回路、１３  バンドパスフィルタ、１４  ＲＦ増幅器、１５  ダウンコンバータ、１６  ＯＦＤＭ復調器、１７  映像データ復号器、１８  液晶表示装置、２０  通信用アンテナ、２１  切替スイッチ、２２  受信部、２２ａ  ダウンコンバータ、２２ｂ  復調器、２３  コーデック、２４  Ａ／Ｄ変換器、２５  Ｄ／Ａ変換器、２６  マイク、２７  スピーカ、２８  ＣＰＵ、２９  送信部、２９ａ  アップコンバータ、２９ｂ  変調部、３０  パワーアンプ、３１  ＰＬＬシンセサイザ、３２  ＥＥＰＲＯＭもしくはフラッシュメモリ、３３  ＲＡＭ、３４  電源回路
【図１】
2006135839.tif 000003
【図２】
2006135839.tif 000004
【図３】
2006135839.tif 000005
【図４】
2006135839.tif 000006
【図５】
2006135839.tif 000007